(57)【要約】【課題】補助電池の寿命の低下の発生を可及的に抑制すること。【解決手段】本発明の電力システムは、負荷に電力を供給するとともに、太陽光発電装置で発生した電力を蓄電可能に構成されている。この電力システムは、電力変換器と補機電池と負荷電源電池と電力変換制御部とを備えている。電力変換器は、太陽光発電装置で発生した電力を電力変換するとともに、電力変換後の電力を出力する。補機電池は、電力変換器からの出力によって充電されるように当該電力変換器に接続された蓄電池であって、電力変換器の動作に必要な電源を供給する。負荷電源電池は、電力変換器からの出力によって充電されるように当該電力変換器に接続された蓄電池であって、負荷に電力を供給する。電力変換制御部は、電力変換器の動作を制御する。本発明の特徴は、電力変換制御部が、負荷電源電池の充電中に補機電池を充電可能に、電力変換器の動作を制御することにある。【選択図】図２
2014183657.tif 000002
【特許請求の範囲】
【請求項１】
負荷（１２）に電力を供給するとともに、太陽光発電装置（２１）で発生した電力を蓄電可能に構成された、電力システム（２０）であって、
前記太陽光発電装置で発生した電力を電力変換するとともに電力変換後の電力を出力するように設けられた、電力変換器（３２）と、
前記電力変換器からの出力によって充電されるように当該電力変換器に接続された蓄電池であって、前記電力変換器の動作に必要な電源を供給するように設けられた、補機電池（２３）と、
前記電力変換器からの出力によって充電されるように当該電力変換器に接続された蓄電池であって、前記負荷に電力を供給するように設けられた、負荷電源電池（２２）と、
前記負荷電源電池の充電中に前記補機電池を充電可能に、前記電力変換器の動作を制御するように設けられた、電力変換制御部（３１）と、
を備えたことを特徴とする、電力システム。
【請求項２】
前記電力変換器からの出力によって充電されるように当該電力変換器に接続された蓄電池であって、前記負荷電源電池の充電用の電力を供給するように設けられた、サブ電池（２４）をさらに備え、
前記電力変換器は、前記太陽光発電装置で発生した電力を電力変換して電力変換後の電力を前記サブ電池に一旦蓄電するとともに、前記サブ電池から出力された電力を電力変換して電力変換後の電力によって前記負荷電源電池を充電するように設けられたことを特徴とする、請求項１に記載の電力システム。
【請求項３】
前記電力変換制御部は、前記サブ電池の充電残量が所定以上である場合に、前記補機電池を充電するように前記電力変換器の動作を制御することを特徴とする、請求項２に記載の電力システム。
【請求項４】
前記電力変換器は、
前記太陽光発電装置で発生した電力を電力変換するように、前記太陽光発電装置に接続された、第一電力変換部（３３）と、
前記第一電力変換部の出力を電力変換して電力変換後の電力を前記補機電池に向けて出力するように、前記第一電力変換部及び前記補機電池に接続された、第二電力変換部（３４）と、
前記サブ電池の出力を電力変換して電力変換後の電力を前記負荷電源電池に向けて出力するように、前記サブ電池及び前記負荷電源電池に接続された、第三電力変換部（３５）と、
を備えたことを特徴とする、請求項２又は３に記載の電力システム。
【発明の詳細な説明】
【技術分野】
【０００１】
本発明は、負荷に電力を供給するとともに、太陽光発電装置で発生した電力を蓄電可能に構成された、電力システムに関する。
【背景技術】
【０００２】
この種のシステムとして、例えば、特開平７−１２３５１０号公報に開示されたものが知られている。かかるシステムは、太陽電池モジュールの出力が、切替器によって、主電池の充電のための出力と、補助電池との充電のための出力と、の間で切り替えられるようになっている。
【先行技術文献】
【特許文献】
【０００３】
【特許文献１】特開平７−１２３５１０号公報
【発明の概要】
【発明が解決しようとする課題】
【０００４】
上述した従来のシステムにおいては、前記主電池の充電中に、ＤＣ／ＤＣコンバータ等の各手段が動作する。これらの手段は、通常、前記補助電池を電源としている。このため、従来のシステムにおいては、前記補助電池の充電残量が低下しがちとなり、ひいては過放電による当該補助電池の寿命の低下が生じることがあり得る。本発明は、上記に例示した事情等に鑑みてなされたものである。
【課題を解決するための手段】
【０００５】
本発明の電力システムは、負荷に電力を供給するとともに、太陽光発電装置で発生した電力を蓄電可能に構成されている。この電力システムは、電力変換器と、補機電池と、負荷電源電池と、電力変換制御部と、を備えている。
【０００６】
前記電力変換器は、前記太陽光発電装置で発生した電力を電力変換するとともに、電力変換後の電力を出力するように設けられている。前記補機電池は、蓄電池であって、前記電力変換器からの出力によって充電されるように、当該電力変換器に接続されている。この補機電池は、前記電力変換器の動作に必要な電源を供給するように設けられている。前記負荷電源電池は、蓄電池であって、前記電力変換器からの出力によって充電されるように、当該電力変換器に接続されている。この負荷電源電池は、前記負荷に電力を供給するように設けられている。
【０００７】
前記電力変換制御部は、前記電力変換器の動作を制御するように設けられている。本発明の特徴は、前記電力変換制御部が、前記負荷電源電池の充電中に前記補機電池を充電可能に、前記電力変換器の動作を制御するようになっていることにある。
【発明の効果】
【０００８】
かかる構成を有する、本発明の電力システムにおいては、前記負荷電源電池の充電中にも、前記補機電池が充電可能となる。これにより、前記補機電池の充電残量を良好に保持することが可能になる。したがって、本発明によれば、前記補助電池の寿命の低下の発生を可及的に抑制することが可能になる。
【図面の簡単な説明】
【０００９】
【図１】本発明の適用対象の一例である電動車両の概略図。
【図２】図１に示されている本実施形態に係る車両電力システムの機能ブロック図。
【図３】図２に示されているソーラーＥＣＵの動作の一具体例を示すフローチャート。
【図４】図２に示されているソーラーＥＣＵの動作の一具体例を示すフローチャート。
【発明を実施するための形態】
【００１０】
以下、本発明を具体化した一実施形態を、図面を参照しつつ説明する。なお、変形例は、当該実施形態の説明中に挿入されると首尾一貫した一実施形態の説明の理解が妨げられるので、末尾にまとめて記載されている。
【００１１】
＜構成＞
図１を参照すると、電動車両１０は、駆動輪１１をモータージェネレータ１２によって回転駆動することで走行可能に構成されている。本発明の「負荷」としてのモータージェネレータ１２は、三相交流の回転電機であって、図示しない動力伝達機構を介して駆動輪１１に連結されている。このモータージェネレータ１２は、電動車両１０の加速時に駆動輪１１を駆動する電動機として動作するようになっている。また、このモータージェネレータ１２は、電動車両１０の減速時に駆動輪１１の回転を抑制する回生ブレーキ機能を奏する発電機としても動作するようになっている。また、電動車両１０には、給電により動作する補機１３が搭載されている。
【００１２】
さらに、電動車両１０には、車両電力システム２０が搭載されている。図２を参照すると、本発明の一実施形態である車両電力システム２０は、本発明の「太陽光発電装置」としてのソーラーパネル２１、並びに、蓄電池としてのメイン電池２２、補機電池２３、及びサブ電池２４を備えている。ソーラーパネル２１は、電動車両１０（図１参照）におけるルーフ部分に搭載されている。このソーラーパネル２１は、太陽光を受光することで、補機１３を駆動したり各蓄電池を充電したりするための電力を発生させるように設けられている。
【００１３】
本発明の「負荷電源電池」としてのメイン電池２２は、モータージェネレータ１２に電力を供給するとともに、上述の減速時にモータージェネレータ１２にて発生する回生電力を蓄電するように設けられている。本実施形態においては、メイン電池２２は、多数のニッケル水素電池等の蓄電池セルを直列及び並列に接続することで、高電圧（本実施形態においては約３００Ｖ）を出力するように構成されている。
【００１４】
補機電池２３は、鉛蓄電池（本実施形態においては約１２Ｖ）であって、補機１３及び後述する各制御部の動作に必要な電源電力を供給するように設けられている。サブ電池２４は、メイン電池２２及び補機電池２３における充電残量に不足が生じた際の、これらの電池の充電用の電力を供給するように設けられている。本実施形態においては、サブ電池２４は、多数のニッケル水素電池等の蓄電池セルを直列及び並列に接続することで、メイン電池２２よりも低い所定の高電圧（本実施形態においては約３０Ｖ）を出力するように構成されている。
【００１５】
本実施形態の車両電力システム２０は、モータージェネレータ１２に電力を供給するとともに、ソーラーパネル２１で発生した電力を各蓄電池に蓄電可能に構成されている。具体的には、車両電力システム２０は、上述の各蓄電池の他に、パワーコントロールユニット２５（インバータ２５ａ及び駆動制御部２５ｂを含む）と、メイン電池出力コンバータ２６（ＤＣ／ＤＣコンバータ２６ａ及び駆動制御部２６ｂを含む）と、メイン電池ＥＣＵ２９と、ソーラーＥＣＵ３０と、を備えている。
【００１６】
メイン電池２２は、パワーコントロールユニット２５を介して、モータージェネレータ１２に接続されている。パワーコントロールユニット２５は、上述のように、インバータ２５ａと、このインバータ２５ａの動作を制御する駆動制御部２５ｂと、を備えている。なお、本実施形態においては、駆動制御部２５ｂは、動作に必要な電源を補機電池２３によって供給されるようになっている。このパワーコントロールユニット２５は、車両電力システム２０（すなわち図１に示されている電動車両１０）の運転状態に応じて、モータージェネレータ１２とメイン電池２２との間での電力授受を制御するようになっている。
【００１７】
メイン電池２２は、メイン電池出力コンバータ２６を介して、補機１３及び補機電池２３に接続されている。すなわち、メイン電池２２は、メイン電池出力コンバータ２６の電力入力側端子に接続されている。また、補機１３及び補機電池２３は、メイン電池出力コンバータ２６の電力出力側端子に対して並列接続されている。メイン電池出力コンバータ２６は、上述のように、ＤＣ／ＤＣコンバータ２６ａと、このＤＣ／ＤＣコンバータ２６ａの動作を制御する駆動制御部２６ｂと、を備えている。なお、本実施形態においては、駆動制御部２６ｂは、動作に必要な電源を補機電池２３によって供給されるようになっている。このメイン電池出力コンバータ２６は、メイン電池２２から出力された高電圧の電力を降圧して、低電圧（約１２Ｖ）の電力を補機１３及び補機電池２３に向けて出力するように設けられている。
【００１８】
メイン電池ＥＣＵ２９は、メイン電池２２の充電残量をモニターしつつパワーコントロールユニット２５の駆動を制御することで、メイン電池２２における電力授受を制御するように設けられている。また、本実施形態においては、メイン電池ＥＣＵ２９は、動作に必要な電源を補機電池２３によって供給されるようになっている。
【００１９】
ソーラーＥＣＵ３０は、ソーラーパネル２１で発生した発電電力（ソーラーパネル２１の出力端子間に発生する電力）を電力変換することで、この電力変換後の電力に基づいてサブ電池２４を充電可能に構成されている。また、ソーラーＥＣＵ３０は、メイン電池出力コンバータ２６の出力停止中に、補機１３及び補機電池２３に対して給電可能に構成されている。以下、本実施形態におけるソーラーＥＣＵ３０について、より詳細に説明する。
【００２０】
ソーラーＥＣＵ３０は、マイクロコンピュータ３１と、電力変換器３２と、を備えている。本発明の「電力変換制御部」としてのマイクロコンピュータ３１は、車両電力システム２０の運転状態に応じて電力変換器３２の動作を制御することで、ソーラーパネル２１と上述の各蓄電池との間の電力の授受を制御するように構成されている。
【００２１】
電力変換器３２は、ソーラーパネル２１で発生した発電電力を電力変換するとともに、電力変換後の電力を出力するように設けられている。具体的には、電力変換器３２は、ソーラーパネル２１で発生した発電電力を電力変換して電力変換後の電力をサブ電池２４に一旦蓄電するとともに、サブ電池２４から出力された電力を電力変換して電力変換後の電力でメイン電池２２を充電するようになっている。本実施形態においては、電力変換器３２は、ソーラー発電コンバータ３３（ＤＣ／ＤＣコンバータ３３ａ及び駆動制御部３３ｂを含む）と、補機側コンバータ３４（ＤＣ／ＤＣコンバータ３４ａ及び駆動制御部３４ｂを含む）と、メイン電池側コンバータ３５（ＤＣ／ＤＣコンバータ３５ａ及び駆動制御部３５ｂを含む）と、を備えている。
【００２２】
本発明の「第一電力変換部」としてのソーラー発電コンバータ３３は、ソーラーパネル２１で発生した発電電力を電力変換するように、電力ラインを介してソーラーパネル２１に接続されている。すなわち、ソーラーパネル２１は、ソーラー発電コンバータ３３の電力入力側端子に接続されている。ソーラー発電コンバータ３３は、上述のように、ＤＣ／ＤＣコンバータ３３ａと、このＤＣ／ＤＣコンバータ３３ａの動作を制御する駆動制御部３３ｂと、を備えている。なお、本実施形態においては、駆動制御部３３ｂは、動作に必要な電源を補機電池２３によって供給されるようになっている。このソーラー発電コンバータ３３は、ソーラーパネル２１の動作点を、最大電力点追随制御（ＭＰＰＴ：Maximum  Power  Point  Tracking）を用いて設定するようになっている。また、このソーラー発電コンバータ３３は、最大電力点追随制御によるソーラーパネル２１の発電電力を所定電圧（約３０Ｖ）の電力に変換して、かかる変換後の電力を出力するようになっている。
【００２３】
本発明の「第二電力変換部」としての補機側コンバータ３４は、電力変換器３２の内部の電力ラインを介して、ソーラー発電コンバータ３３の電力出力側端子に接続されている。すなわち、補機側コンバータ３４の電力入力側端子には、ソーラー発電コンバータ３３が接続されている。一方、補機側コンバータ３４の電力出力側端子には、補機１３及び補機電池２３が並列接続されている。
【００２４】
補機側コンバータ３４は、上述のように、ＤＣ／ＤＣコンバータ３４ａと、このＤＣ／ＤＣコンバータ３４ａの動作を制御する駆動制御部３４ｂと、を備えている。なお、本実施形態においては、駆動制御部３４ｂは、動作に必要な電源を補機電池２３によって供給されるようになっている。この補機側コンバータ３４は、ソーラー発電コンバータ３３の出力を電力変換（具体的には降圧）して、補機１３及び補機電池２３に向けて、電力変換後の所定の低電圧の電力を出力するように設けられている。ここで、上述の「所定の低電圧」は、本実施形態においては、補機１３あるいは補機電池２３に供給するための低電圧（約１２Ｖ）である。すなわち、補機電池２３は、補機側コンバータ３４からの出力によって充電されるように、補機側コンバータ３４に接続されている。
【００２５】
ソーラー発電コンバータ３３の電力出力側端子と補機側コンバータ３４の電力入力側端子との間の、電力変換器３２の内部の電力ラインには、サブ電池２４が接続されている。すなわち、サブ電池２４は、ソーラー発電コンバータ３３からの出力によって充電されるように、ソーラー発電コンバータ３３に接続されている。また、かかる電力ラインには、メイン電池側コンバータ３５の電力入力側端子が接続されている。すなわち、サブ電池２４には、補機側コンバータ３４とメイン電池側コンバータ３５とが並列接続されている。
【００２６】
本発明の「第三電力変換部」としてのメイン電池側コンバータ３５における、電力出力側端子は、メイン電池２２に接続されている。すなわち、メイン電池２２は、メイン電池側コンバータ３５からの出力によって充電されるように、メイン電池側コンバータ３５に接続されている。メイン電池側コンバータ３５は、上述のように、ＤＣ／ＤＣコンバータ３５ａと、このＤＣ／ＤＣコンバータ３５ａの動作を制御する駆動制御部３５ｂと、を備えている。なお、本実施形態においては、駆動制御部３５ｂは、動作に必要な電源を補機電池２３によって供給されるようになっている。このメイン電池側コンバータ３５は、サブ電池２４の出力を電力変換（具体的には昇圧）して、電力変換後の所定の高電圧の電力をメイン電池２２に向けて出力するように、サブ電池２４及びメイン電池２２に接続されている。ここで、上述の「所定の高電圧」は、メイン電池２２の充電用の高電圧（約３００Ｖ）である。
【００２７】
ソーラー発電コンバータ３３の電力出力側端子と補機側コンバータ３４の電力入力側端子との間の電力ラインと、サブ電池２４の出力端子と、を接続する電力ラインには、サブ電池接続スイッチ３６が介装されている。このサブ電池接続スイッチ３６は、マイクロコンピュータ３１の制御下で開閉することで、サブ電池２４と電力変換器３２との間の通電と遮断とを切り替え可能に設けられている。
【００２８】
ソーラーパネル２１と電力変換器３２（ソーラー発電コンバータ３３の電力入力側端子）との間には、ソーラー電流センサ４１ａ及びソーラー電圧センサ４１ｂが設けられている。ソーラー電流センサ４１ａは、ソーラーパネル２１で発生した発電電力における電流に対応する出力を生じるようになっている。ソーラー電圧センサ４１ｂは、上述の発電電力における電圧に対応する出力を生じるようになっている。
【００２９】
補機電池２３には、補機電池電流センサ４３ａと、補機電池電圧センサ４３ｂと、補機電池温度センサ４３ｃと、が設けられている。補機電池電流センサ４３ａは、補機電池２３の端子電流に対応する出力を生じるようになっている。補機電池電圧センサ４３ｂは、補機電池２３の端子間電圧に対応する出力を生じるようになっている。補機電池温度センサ４３ｃは、補機電池２３の温度に対応する出力を生じるようになっている。
【００３０】
同様に、サブ電池２４には、サブ電池電流センサ４４ａと、サブ電池電圧センサ４４ｂと、サブ電池温度センサ４４ｃと、が設けられている。サブ電池電流センサ４４ａは、サブ電池２４の端子電流に対応する出力を生じるようになっている。サブ電池電圧センサ４４ｂは、サブ電池２４の端子間電圧に対応する出力を生じるようになっている。サブ電池温度センサ４４ｃは、サブ電池２４の温度に対応する出力を生じるようになっている。
【００３１】
マイクロコンピュータ３１は、上述の各センサからの出力に基づいて、ソーラー発電コンバータ３３、補機側コンバータ３４、メイン電池側コンバータ３５、及びサブ電池接続スイッチ３６の動作を制御するように設けられている。具体的には、マイクロコンピュータ３１は、メイン電池２２の充電中に補機電池２３を充電可能に、電力変換器３２の動作を制御するようになっている。すなわち、マイクロコンピュータ３１は、サブ電池２４の充電残量が所定以上である場合に、補機電池２３を充電すべく、電力変換器３２の動作を制御するようになっている。
【００３２】
＜動作＞
次に、本実施形態の構成における動作の概要、及び本実施形態の構成による作用・効果について説明する。
【００３３】
マイクロコンピュータ３１は、メイン電池ＥＣＵ２９から、メイン電池２２における充電容量を取得する。また、マイクロコンピュータ３１は、上述の各センサからの出力に基づいて、補機電池２３及びサブ電池２４における充電残量を取得（推定）する。さらに、マイクロコンピュータ３１は、ソーラー電流センサ４１ａ及びソーラー電圧センサ４１ｂの出力に基づいて、ソーラーパネル２１の動作点を、最大電力点追随制御を用いて設定する。そして、マイクロコンピュータ３１は、メイン電池ＥＣＵ２９と協働することで、ソーラーパネル２１における発電状況と、メイン電池２２、補機電池２３及びサブ電池２４における充電残量と、モータージェネレータ１２及び補機１３における運転状態と、に応じて、電力分配を適宜行う。
【００３４】
かかる電力分配としては、以下のものがある。（１）ソーラーパネル２１から補機１３、補機電池２３、及びサブ電池２４のうちの少なくともいずれか１つへの電力供給（ソーラー発電コンバータ３３が「ＯＮ」／場合に応じ補機側コンバータ３４も「ＯＮ」）。（２）メイン電池２２から補機１３及び／又は補機電池２３への電力供給（メイン電池出力コンバータ２６が「ＯＮ」）。（３）サブ電池２４から補機１３又は補機電池２３への電力供給（補機側コンバータ３４が「ＯＮ」）。（５）サブ電池２４からメイン電池２２への電力供給（メイン電池側コンバータ３５が「ＯＮ」）。（６）補機電池２３から補機１３への電力供給。（７）パワーコントロールユニット２５を介してのモータージェネレータ１２とメイン電池２２との間の電力授受。
【００３５】
ところで、上述の電力分配に際しては、電力変換器３２内の各種のコンバータや、メイン電池ＥＣＵ２９が駆動される。ここで、これらのコンバータ等における各駆動制御部は、補機電池２３からの電力供給によって動作する。このため、例えば、メイン電池２２の充電動作中に、上述の各種のコンバータが駆動されることで、補機電池２３にて電力消費が生じる。
【００３６】
この点、本実施形態においては、サブ電池２４からメイン電池２２への電力供給によるメイン電池２２の充電動作中にも、補機電池２３が、サブ電池２４及び／又はソーラーパネル２１（ソーラー発電コンバータ３３）からの電力供給によって充電可能となる。これにより、補機電池２３の充電残量が良好に保たれる。したがって、本実施形態の構成によれば、補機電池２３の寿命の低下の発生を可及的に抑制することが可能になる。
【００３７】
次に、本実施形態の構成における上述の動作の一例について、図３及び図４のフローチャートを用いて説明する。なお、図示されたフローチャートにおいては、「ステップ」は「Ｓ」と略記されている。
【００３８】
最初に、サブ電池接続スイッチ３６がオンされる（ステップ３０１）。次に、ソーラーパネル２１の発電電力が所定以上であるか否かが判定される（ステップ３０２）。ソーラーパネル２１の発電電力が所定未満である場合（ステップ３０２＝ＮＯ）、サブ電池接続スイッチ３６がオフされる（ステップ３０３）。また、電力変換器３２における各コンバータが全停止される（ステップ３０４）。すなわち、この場合、すべての充電動作が停止される。
【００３９】
ソーラーパネル２１の発電電力が所定以上である場合（ステップ３０２＝ＹＥＳ）、メイン電池２２の充電が許可されているか否かが判定される（ステップ３０５）。なお、メイン電池２２の充電許可／不許可の決定は、サブ電池２４の充電残量に基づいて行われる（後述の図４のフローチャート参照）。
【００４０】
メイン電池２２の充電が許可されている場合（ステップ３０５＝ＹＥＳ）、メイン電池側コンバータ３５が駆動されることで、メイン電池２２への充電が行われる（ステップ３０６）。一方、メイン電池２２の充電が許可されていない場合（ステップ３０５＝ＮＯ）、メイン電池側コンバータ３５の駆動が停止される（ステップ３０７）。この場合、メイン電池２２への充電は行われない。
【００４１】
上述のようにして、メイン電池側コンバータ３５の駆動（ステップ３０６）あるいは停止（ステップ３０７）が決定された後、補機電池２３の充電が必要であるか否か（充電残量が所定未満であるか否か）が判定される（ステップ３０８）。補機電池２３の充電が必要である場合（ステップ３０８＝ＹＥＳ）、補機側コンバータ３４が駆動されることで、補機電池２３への充電が行われる（ステップ３０９）。一方、補機電池２３の充電が必要ではない場合（ステップ３０８＝ＮＯ）、補機側コンバータ３４の駆動が停止されることで、補機電池２３への充電が停止される（ステップ３１０）。
【００４２】
以下、メイン電池２２の充電許可／不許可の決定について、図４を参照しつつ説明する。まず、サブ電池２４の充電残量が第一の所定量を超えているか否か（具体的にはＳＯＣが所定値Ａ％を超えているか：Ａ％は例えば７０％）が判定される（ステップ４０１）。サブ電池２４の充電残量が第一の所定量を超えている場合（ステップ４０１＝ＹＥＳ）、メイン電池２２の充電が許可される（ステップ４０２）。
【００４３】
一方、サブ電池２４の充電残量が第一の所定量以下である場合（ステップ４０１＝ＮＯ）、かかる充電残量が第二の所定量（上述の第一の所定量より小さい）未満であるか否か（具体的にはＳＯＣが所定値Ｂ％未満であるか：Ｂ％は例えば４０％）が判定される（ステップ４０３）。サブ電池２４の充電残量が第二の所定量未満である場合（ステップ４０３＝ＹＥＳ）、メイン電池２２の充電が不許可とされる（ステップ４０４）。
【００４４】
なお、サブ電池２４の充電残量が第一の所定量以下であって且つ第二の所定量以上である場合（ステップ４０１＝ＮＯ、ステップ４０３＝ＮＯ）、メイン電池２２の充電の許可／不許可の決定は変更されない。すなわち、サブ電池２４の充電残量が第一の所定量を超えたところから当該第一の所定量以下に減少しても、第二の所定量を下回るまでは、メイン電池２２の充電の許可が維持される。一方、サブ電池２４の充電残量が第二の所定量未満から当該第二の所定量以上に増加しても、第一の所定量を超えるまでは、メイン電池２２の充電の不許可が維持される。これにより、安定した充電制御が実現されるとともに、メイン電池２２の寿命低下が可及的に抑制される。
【００４５】
＜変形例＞
以下、代表的な変形例について、幾つか例示する。以下の変形例の説明において、上述の実施形態にて説明されているものと同様の構成及び機能を有する部分に対しては、上述の実施形態と同様の符号が用いられ得るものとする。そして、かかる部分の説明については、技術的に矛盾しない範囲内において、上述の実施形態における説明が適宜援用され得るものとする。もっとも、言うまでもなく、変形例とて、以下に列挙されたものに限定されるものではない。また、上述の実施形態の一部、及び、複数の変形例の全部又は一部が、技術的に矛盾しない範囲内において、適宜、複合的に適用され得る。
【００４６】
本発明は、上述した具体的な装置構成に限定されない。例えば、本発明は、電気自動車及びハイブリッド自動車のいずれに対しても好適に適用可能である。もっとも、本発明は、車載システムに限定されない。また、各電池やコンバータの出力電圧も、上述の具体例から適宜変更され得る。また、メイン電池ＥＣＵ２９、並びに駆動制御部２５ｂ，２６ｂ，３３ｂ，３４ｂ，及び３５ｂのうちの一部は、補機電池２３以外を電源としていてもよい。さらに、補機１３への電源供給は、補機電池２３のみから行われてもよい。
【００４７】
図２に示されている回路構成においては、メイン電池側コンバータ３５は、電力変換器３２の内部の電力ラインを介して、ソーラー発電コンバータ３３の電力出力側端子に接続されている。すなわち、ソーラー発電コンバータ３３の電力出力側端子には、補機側コンバータ３４とメイン電池側コンバータ３５とが並列接続されている。したがって、ソーラー発電コンバータ３３の出力がメイン電池側コンバータ３５に入力されることで、ソーラーパネル２１からメイン電池２２への直接充電が行われてもよい。
【００４８】
ソーラーパネル２１（ソーラー発電コンバータ３３）からサブ電池２４への電力供給によるサブ電池２４の充電動作中にも、補機電池２３が、ソーラーパネル２１からの電力（発電電力のうちのサブ電池２４への充電分を差し引いた余剰分）によって充電されてもよい。
【００４９】
その他、特段に言及されていない変形例についても、本発明の本質的部分を変更しない範囲内において、本発明の技術的範囲に含まれることは当然である。また、本発明の課題を解決するための手段を構成する各要素における、作用・機能的に表現されている要素は、上述の実施形態や変形例にて開示されている具体的構成及びその均等物の他、当該作用・機能を実現可能ないかなる構成をも含む。
【符号の説明】
【００５０】
１０…電動車両、１２…モータージェネレータ、１３…補機、２０…車両電力システム、２１…ソーラーパネル、２２…メイン電池、２３…補機電池、２４…サブ電池、３０…ソーラーＥＣＵ、３１…マイクロコンピュータ、３２…電力変換器、３３…ソーラー発電コンバータ、３４…補機側コンバータ、３５…メイン電池側コンバータ。
【図１】
2014183657.tif 000003
【図２】
2014183657.tif 000004
【図３】
2014183657.tif 000005
【図４】
2014183657.tif 000006